(57)【要約】【課題】室内で複数の植物栽培用容器を使用して照明下の元で植物栽培するのに好適な植物栽培用ラックを提供する。【解決手段】植物栽培用容器を支持する棚(2A,2B)を上下複数段に備え、各段の棚(2A,2B)の直上に位置する棚(2A,2B)の下側に照明器具(5)が取り付けられた植物栽培用ラックにおいて、前記照明器具(5)が下側に取り付けられる棚(2A,2B)の内、少なくとも植物栽培用容器を支持する棚(2A,2B)は、棚奥行き方向に適当間隔おきに並列する複数本の棚間口方向と平行な棒状中空枠材(6)と、この各棒状中空枠材(6)の両端を支持する左右一対の奥行き方向と平行な支持枠材(7)とから構成され、前記照明器具(5)は棚(2A)の前記棒状中空枠材(6)の下側に取り付けられ、この照明器具(5)に対する電源用コード(5f)が前記棒状中空部材(6)の内部に収納された構成。【選択図】図２
2011101599.tif 000002
【特許請求の範囲】
【請求項１】
植物栽培用容器を支持する棚を上下複数段に備え、各段の棚の直上に位置する棚の下側に照明器具が取り付けられた植物栽培用ラックにおいて、前記照明器具が下側に取り付けられる棚の内、少なくとも植物栽培用容器を支持する棚は、棚奥行き方向に適当間隔おきに並列する複数本の棚間口方向と平行な棒状中空枠材と、この各棒状中空枠材の両端を支持する左右一対の奥行き方向と平行な支持枠材とから構成され、前記照明器具は、棚の前記棒状中空枠材の下側に取り付けられ、この照明器具に対する電源用コードが前記棒状中空部材の内部に収納されている、植物栽培用ラック。
【請求項２】
棚の前記棒状中空枠材は、棚奥行き方向の前後何れかに全長にわたって連続する開口部を有する、請求項１に記載の植物栽培用ラック。
【請求項３】
棚の前記支持枠材は、上面が前記棒状中空枠材の上面と面一になる下側開放の断面コ形部と、この断面コ形部の内外両側板の内、前記棒状中空枠材と隣接する外側板の下辺から連設された支持用水平板部と、この支持用水平板部の端辺から上向きに連設された垂直板部とから構成され、前記垂直板部に前記棒状中空枠材の端部が嵌合する切欠き凹部が形成され、前記外側板には、各切欠き凹部に対応させて、前記棒状中空枠材内に収納された前記電源用コードを前記断面コ形部の内側に引き出す開口が設けられている、請求項１又は２に記載の植物栽培用ラック。
【請求項４】
支持枠材の前記開口は、前記断面コ形部の内外両側板と上面板とにわたって、この断面コ形部を横断するように形成されている、請求項３に記載の植物栽培用ラック。
【発明の詳細な説明】
【技術分野】
【０００１】
本発明は、植物栽培用容器を支持する棚を上下複数段に備えた植物栽培用ラックに関するものである。
【背景技術】
【０００２】
この種の植物栽培用ラックには、特許文献１にも記載されているように、各段の棚の直上に位置する棚及びラック天井フレームの下側に照明器具が取り付けられ、各段の棚上に支持された植物栽培用容器に植え付けられた植物を照明するように構成されている。
【先行技術文献】
【特許文献】
【０００３】
【特許文献１】実開昭６３−１１６０６０号公報
【発明の概要】
【発明が解決しようとする課題】
【０００４】
しかしながら、従来の植物栽培用ラックでは、単に、各段の棚の直上に位置する棚及びラック天井フレームの下側に照明器具を取り付けることが提案されているに過ぎず、その照明器具の取付けや必要な電源用コードの配線に好適な具体構成は何ら提案されていなかった。
【課題を解決するための手段】
【０００５】
本発明は、各段の棚の直上に位置する棚の下側に対する照明器具の取付けや電源用コードの配線に好適な植物栽培用ラックを提案するものであって、請求項１に記載の本発明に係る植物栽培用ラックは、後述する実施例との関係を理解し易くするために、当該実施例の説明において使用した参照符号を括弧付きで付して示すと、植物栽培用容器(C)を支持する棚(1A〜3B,16)を上下複数段に備え、各段の棚(1A〜2B,16)の直上に位置する棚(2A〜3B,16)の下側に照明器具(5)が取り付けられた植物栽培用ラックにおいて、前記照明器具(5)が下側に取り付けられる棚(2A〜3B,16)の内、少なくとも植物栽培用容器(C)を支持する棚(2A,2B,16)は、棚奥行き方向に適当間隔おきに並列する複数本の棚間口方向と平行な棒状中空枠材(6)と、この各棒状中空枠材(6)の両端を支持する左右一対の奥行き方向と平行な支持枠材(7)とから構成され、前記照明器具(5)は、棚(2A,2B,16)の前記棒状中空枠材(6)の下側に取り付けられ、この照明器具(5)に対する電源用コード(5f)が前記棒状中空部材(6)の内部に収納された構成になっている。勿論、ラックの最上段の棚(3A,3B)は、ラックの天井フレームであって、植物栽培用容器(C)を支持する棚としては使用されないが、その下側には前記照明器具(5)が取り付けられるので、この最上段の棚(3A,3B)も、上記のように構成することができる。又、支持する植物栽培用容器(C)の底面構造（形状）によっては、前記棒状中空枠材(6)の上に棚全体をカバーする平板を載置固着して棚を構成することも、本発明の技術的範囲内に含まれる。
【０００６】
上記本発明を実施する場合、具体的には請求項２に記載のように、棚の前記棒状中空枠材(6)は、棚奥行き方向の前後何れかに全長にわたって連続する開口部(6c)を有するものとすることができる。
【０００７】
又、請求項３に記載のように、棚の前記支持枠材(7)は、上面が前記棒状中空枠材(6)の上面と面一になる下側開放の断面コ形部(8)と、この断面コ形部(8)の内外両側板(8a,8b)の内、前記棒状中空枠材(6)と隣接する外側板(8a)の下辺から連設された支持用水平板部(8c)と、この支持用水平板部(8c)の端辺から上向きに連設された垂直板部(8d)とから構成し、前記垂直板部(8d)に前記棒状中空枠材(6)の端部が嵌合する切欠き凹部(9)を形成し、前記外側板(8a)には、各切欠き凹部(9)に対応させて、前記棒状中空枠材(6)内に収納された前記電源用コード(5f)を前記断面コ形部(8)の内側に引き出す開口(10)を設けることができる。この場合、請求項４に記載のように、支持枠材(7)の前記開口(10)は、前記断面コ形部(8)の内外両側板(8a,8b)と上面板(8e)とにわたって、この断面コ形部(8)を横断するように形成するのが望ましい。
【発明の効果】
【０００８】
請求項１に記載の本発明の構成によれば、植物栽培用容器の加重を受ける支持部材となる複数本の棚間口方向と平行な棒状中空枠材を、直下の棚上方に配設する照明器具の取付け部材と、当該照明器具の電源用コードを収納する配線用ダクトに兼用させることができ、特に棚間口方向に長い蛍光灯タイプの照明器具を取り付ける場合、その取付け対象が棚間口方向と平行な棒状中空枠材であるから、照明器具に設けられている長さ方向複数箇所の取付け孔に合わせて棚側に取付け孔を容易に設けることができる。即ち、特に蛍光灯タイプの照明器具の取付けが容易であり、しかもその電源用コードを、照明器具上側の棒状中空枠材内に収納して棚の間口方向の一端側に導くことができ、当該コードを棚側に固定する別手段を併用しなくとも、当該コードが棚上の栽培空間内に垂れ下がるような不都合が回避できる。
【０００９】
又、請求項２に記載の構成によれば、照明器具を取り付ける棒状中空枠材の下側面に、当該照明器具の電源用コードを棒状中空枠材内に導入させるための開口を特に設けなくとも、そして当該照明器具の電源コードの位置に関係なく、棒状中空枠材の側面の全長にわたって連続する開口部を利用して、当該照明器具の電源コードを棒状中空枠材内に導入することができる。
【００１０】
更に、請求項３に記載の構成によれば、棚上面を構成する各棒状中空枠材の上面と、これら各棒状中空枠材の端部を支持する支持枠材の上面とが面一であるから、棚上に載置する植物栽培用容器が棚両端の支持枠材上にかかっても、当該植物栽培用容器を水平に安定良く支持できるのであるが、このように棚の支持面領域を広げるのに棚両端の支持枠材を利用しながら、棒状中空枠材内に収納された照明器具の電源用コードを、当該支持枠材に設けられた開口を通じて簡単に棒状中空枠材から外に導き出すことができ、照明器具の配線作業が容易に行なえる。この場合、請求項４に記載の構成によれば、棒状中空枠材内に収納された照明器具の電源用コードを棚端部の支持枠材の上側に導き出すことも容易に行なえるばかりでなく、棚が同一レベルで間口方向に複数連設される場合、一方の棚の棒状中空枠材内に収納された照明器具の電源用コードを、他方の棚の棒状中空枠材内を経由させて棚外に導くことも容易になる。
【図面の簡単な説明】
【００１１】
【図１】Ａ図はラック全体の正面図、Ｂ図は同側面図である。
【図２】Ａ図は一つのレベルの棚全体を示す平面図、Ｂ図は、一部の棒状中空枠材と照明器具とを取り外した状態での一つのレベルの棚の縦断側面図である。
【図３】一つのレベルの棚の一端部を示す一部切欠き縦断正面図である。
【図４】Ａ図は棚を構成する１本の棒状中空枠材の端部と１つの支持枠材の一部分とを示す斜視図、Ｂ図は棒状中空枠材の変形例を示す端部の斜視図である。
【図５】図３の平面図である。
【図６】図２Ｂの変形例を示す要部の縦断側面図である。
【図７】第二実施例を示す一つのレベルの棚の縦断側面図である。
【図８】Ａ図は第二実施例の要部の平面図、Ｂ図はその変形例を示す要部の平面図である。
【図９】第二実施例の一部分を示す縦断側面図である。
【図１０】第二実施例の更に別の変形例を示す一部分の縦断側面図である。
【発明を実施するための形態】
【００１２】
図１及び図２Ａに示す本発明実施例のラックは、間口方向に同一レベルで連続する２枚の棚１Ａ〜３Ｂが、間口方向の両端と中間位置とに配置された奥行き方向前後一対の支柱４ａ，４ｂを介して上下複数段に架設されたもので、これら棚１Ａ〜３Ｂの内、最下段の２枚の棚１Ａ，１Ｂとラックの天井フレームとなる最上段の２枚の棚３Ａ，３Ｂとは、植物栽培用容器（平面形状が矩形のコンテナ）Ｃの支持には利用されておらず、中間の上下複数段の各２枚の棚２Ａ，２Ｂが植物栽培用容器Ｃを支持する。そして、これら植物栽培用容器Ｃを支持する各棚２Ａ，２Ｂの直上に位置する棚２Ａ，２Ｂ及び３Ａ，３Ｂの下側には、その下側の棚２Ａ，２Ｂ上に支持された植物栽培用容器Ｃにおいて栽培される植物を育成するための照明器具５が取り付けられている。この照明器具５が下側に取り付けられる棚２Ａ，２Ｂ及び３Ａ，３Ｂの内、少なくとも植物栽培用容器Ｃを支持する棚２Ａ，２Ｂは、次のように構成されている。
【００１３】
即ち、各段の棚２Ａ，２Ｂは、棚奥行き方向に適当間隔おきに並列する複数本の棚間口方向と平行な棒状中空枠材６と、この各棒状中空枠材６の両端を支持する左右一対の奥行き方向と平行な支持枠材７とから構成され、左右一対の支持枠材７は、その両端が棚奥行き方向前後一対の支柱４ａ，４ｂに支持されている。そして蛍光灯タイプの照明器具５が、その長さ方向が棒状中空枠材６の長さ方向と平行になる向きで、各棒状中空枠材６の下側に取り付けられている。
【００１４】
以下、図２Ｂ〜図５に基づいて具体構造を説明すると、棒状中空枠材６は、略正方形断面のリップ付き溝形材を利用したもので、そのリップ部６ａ，６ｂ間の全長にわたって連続する開口部６ｃが水平横向きに開口する向きで使用している。支持枠材７は、下側開放の断面コ形部８と、この断面コ形部８の内外両側板８ａ，８ｂの内、前記棒状中空枠材６と隣接する外側板８ａの下辺から連設された支持用水平板部８ｃと、この支持用水平板部８ｃの端辺から上向きに連設された垂直板部８ｄとから構成され、前記垂直板部８ｄに前記棒状中空枠材６の端部が嵌合する切欠き凹部９が形成されている。この切欠き凹部９の一側辺上端には、前記前記棒状中空枠材６の開口部６ｃに入り込んで、下側になるリップ部６ａに隣接する係合突起片９ａが突設されている。そして断面コ形部８の外側板８ａの上端部、上面板８ｅ、及び外側板８ａより高さ方向の幅が小さい内側板８ｂの上端部にわたって連続するように、断面コ形部８を横断する開口１０が、各切欠き凹部９に対応させて設けられている。尚、棒状中空枠材６は、図４Ｂに示すように、上側になるリップ部の無い断面形状のものであっても良い。
【００１５】
支持枠材７の両端には、支柱４ａ，４ｂの側面に当接する取付け板部１１が、断面コ形部８の外側板８ａから連設されており、この取付け板部１１に設けられた上下一対の下向きの係止片１１ａを、支柱４ａ，４ｂの側面に設けられた係止孔１２に係合させることにより、支持枠材７が前後一対の支柱４ａ，４ｂ間に所定高さで水平に架設されている。このようにして、左右一対の支持枠材７を同一レベルで架設したならば、複数本（図示例では４本）の棒状中空枠材６を、棚間口方向と平行な向きで且つその開口部６ｃが水平横向きに開口する向きで、左右一対の支持枠材７の各切欠き凹部９内に両端を嵌め込んで水平に支持させる。この結果、各棒状中空枠材６の両端部の下側面が支持枠材７の支持用水平板部８ｃで支持され、当該棒状中空枠材６の上面と、断面コ形部８の上面板８ｅの上面とが面一に連続すると共に、棒状中空枠材６の端部開口が支持枠材７の断面コ形部８の外側板８ａで塞がれる状態になる。
【００１６】
上記のようにして、左右一対の支持枠材７間に、棚奥行き方向に等間隔おきに並列する４本の棒状中空枠材６を架設することにより、棚２Ａ，２Ｂが形成されるのであるが、中間位置の前後一対の支柱４ａ，４ｂには、一方の棚２Ａの棚２Ｂに隣接する側の支持枠材７と、他方の棚２Ｂの棚２Ａに隣接する側の支持枠材７とが、両支持枠材７の断面コ形部８の内側板８ｂどうしが隣接するように、同一レベルで並列状に支持されることになる。換言すれば、このように２本の支持枠材７を前後一対の支柱４ａ，４ｂ間に架設できるように、各支持枠材７の断面コ形部８の幅が設定されている。尚、左右対を成す支柱４ａ，４ａ間、及び４ｂ，４ｂ間には、最下段の棚１Ａ，１Ｂ及び最上段の棚３Ａ，３Ｂと同一レベルで、間口方向連結枠材１４ａ，１４ｂが架設されている。
【００１７】
蛍光灯タイプの照明器具５は、その長尺箱型の本体５ａに反射カバー５ｂと蛍光灯５ｃを取り付けた従来周知のものであって、当該本体５ａの底板部の長さ方向複数箇所（例えば２箇所）に、円形の取付け座５ｄが突設されており、この取付け座５ｄの中心を内側から外向きに貫通する取付けネジ５ｅにより、前記棚２Ａ，２Ｂの各棒状中空枠材６の下側面に取り付けられる。従って、各棒状中空枠材６の下側面には、予め所定位置に前記取付けネジ５ｅを螺合させるためのネジ孔６ｄを設けておくか又は、取付けネジ５ｅにタッピングネジが使用されるときは、下孔を設けておくことができる。勿論、この照明器具５の本体５ａを棒状中空枠材６の下側面に取り付ける取付けネジ５ｅの本数や配置は自由に設定できるし、取付けネジ５ｅを使用しない取付け構造を採用することもできる。
【００１８】
上記のようにして棚２Ａ，２Ｂの各棒状中空枠材６の下側面に照明器具５を取り付けたならば、当該照明器具５の本体５ａから延出されている電源用コード５ｆを、当該照明器具５の本体５ａを取り付けている棒状中空枠材６の開口部６ｃから当該棒状中空枠材６の内部に収納し、この棒状中空枠材６の内部を経由させて、当該棒状中空枠材６の一端部を支持している支持枠材７の断面コ形部８に形成された開口１０（開口１０の断面コ形部８の外側板８ａの上端に形成された開口部分）から当該支持枠材７の断面コ形部８の内側に導き出すことができる。最終的にこの電源用コード５ｆは、当該支持枠材７の一端部から支柱４ａ又は４ｂに沿って下方に導き、ラックの外に延出させることができるが、図示のように、棚２Ａ，２Ｂが同一レベルで棚間口方向に連続するように架設されているときは、図３に仮想線で示すように、一方の棚２Ａ（又は２Ｂ）の各照明器具５の電源用コード５ｆを、当該棚２Ａ（又は２Ｂ）の支持枠材７の開口１０から、他方の棚２Ｂ（又は２Ａ）の支持枠材７の開口１０を経由させて、当該他方の棚２Ｂ（又は２Ａ）の棒状中空枠材６内に導き、この他方の棚２Ｂ（又は２Ａ）の棒状中空枠材６内を経由させてラックの間口方向の一端部に集束させることも可能である。
【００１９】
尚、照明器具５の電源用コード５ｆが本体５ａの底面から延出されているときは、取付け座５ｄによって確保される本体５ａの底面と棒状中空枠材６の下側面との間の空隙を利用して、電源用コード５ｆを一旦棒状中空枠材６の横側方に導き出すことになるが、図６に示すように、棒状中空枠材６の下側板部に電源用コード５ｆを当該棒状中空枠材６の内部に導入するための開口１３を設けておくときは、電源用コード５ｆを棒状中空枠材６の内部に導入する作業が容易になるばかりでなく、取付け座５ｄを設けないで、本体５ａの底面を棒状中空枠材６の下側面に直付けすることが可能になる。勿論、本体５ａの横側面から電源用コード５ｆが延出されている照明器具５を利用することもできる。
【００２０】
次に本発明の第二実施例を、図７〜図９に基づいて説明すると、この実施例では、棚間口方向に植物栽培用容器Ｃを滑動させるためのローラーレール１５が棚１６に組み込まれている。棚１６の構造は、先の実施例における棚２Ａ，２Ｂと比較して、棚の奥行き方向の幅が大きいために使用する棒状中空枠材６の本数が多くなっているだけで、図示していないが、各棒状中空枠材６に取り付けられた照明器具５の電源用コード５ｆの処理も含めて、基本的に同一である。
【００２１】
ローラーレール１５は、レール本体１５ａに等間隔おきにローラー１５ｂを自転可能に軸支して成る従来周知のものであり、レール本体１５ａは、棒状中空枠材６の全長と略同一長さのものである。このローラーレール１５が、棚間口方向と平行な向きで、棚１６の隣り合う２本の棒状中空枠材６間に架設される。このとき、図７及び図８Ａに示すように、適当間隔おきにある隣り合う２本の棒状中空枠材６間にローラーレール１５を架設することもできるし、図８Ｂに示すように、全ての隣り合う２本の棒状中空枠材６間にローラーレール１５を架設することもできる。
【００２２】
而して、各ローラーレール１５の両端は、棚１６の間口方向両端に位置する左右一対の支持枠材７の断面コ形部８における外側板８ａに隣接する状態で、当該支持枠材７の垂直板部８ｄの上辺で支持されている。この状態では、各ローラーレール１５の支持レベルは決まるが、棚１６の奥行き方向の位置が定まらないので、図８及び図９に示すように、各ローラーレール１５の長さ方向の中間適当複数箇所に、ローラーレール１５の位置決め兼用支持部材１７を配設することができる。この位置決め兼用支持部材１７は、ローラーレール１５の両側に位置する棒状中空枠材６間に嵌合した状態で、両端の係合段部１７ａ，１７ｂが棒状中空枠材６の側辺に係合支持されるものであって、中央部にはローラーレール１５のレール本体１５ａが嵌合して支持用凹部１７ｃを備えている。１７ｄ，１７ｅは、この位置決め兼用支持部材１７の下方への撓み変形を抑制するための補強板である。又、位置決め兼用支持部材１７の両端の係合段部１７ａ，１７ｂと棒状中空枠材６との間には、ゴムなどの防振用弾性材を挟み込むことができる。
【００２３】
上記構成によれば、棚１６の上に載せられる植物栽培用容器Ｃは、棒状中空枠材６に直接支持されるのではなく、棚奥行き方向複数本の並列するローラーレール１５（ローラー１５ｂ）で支持されるので、各ローラーレール１５のローラー１５ｂの転動を利用して、軽く容易に棚１６の間口方向に滑動させることができる。この場合、図７及び図８に示すように、棚１６より適当上方位置で棚１６の奥行き方向前後両側に、植物栽培用容器Ｃの棚間口方向の移動経路を規制するガイドバー１８ａ，１８ｂを架設することができる。このガイドバー１８ａ，１８ｂは、支持枠材７の支柱４ａ，４ｂに対する取付け構造と同一の取付け構造により、その両端を前後一対の支柱４ａ，４ｂに取り付けることができる。即ち、ガイドバー１８ａ，１８ｂの両端に、支柱４ａ，４ｂの側面に当接する取付け板部１９を固着連設し、この取付け板部１９に設けられた上下一対の下向きの係止片を、支柱４ａ，４ｂの側面に設けられた前記係止孔１２に係合させることにより、左右対を成す支柱４ａ，４ａ間、及び４ｂ，４ｂ間にガイドバー１８ａ，１８ｂを所定高さで水平に架設することができる。
【００２４】
尚、上記の例では、ローラーレール１５のレール本体１５ａの両端を支持枠材７の垂直板部８ｄの上辺で支持させたので、棚１６の上面、即ち、棒状中空枠材６の上面からのローラー１５ｂの突出高さが高くなると共に、当該ローラーレール１５を棚奥行き方向に位置決めする手段（位置決め兼用支持部材１７）の併用が必須になるが、図１０に示すように、支持枠材７の垂直板部８ｄに形成した支持用凹部２０にローラーレール１５のレール本体１５ａの両端を嵌合させて支持させるときは、棚１６の上面（棒状中空枠材６の上面）からのローラー１５ｂの突出高さを低くすることができると共に、ローラーレール１５の長さが短いときは、その中間を支持する位置決め兼用支持部材１７も不要になる。
【産業上の利用可能性】
【００２５】
本発明の植物栽培用ラックは、室内で複数の植物栽培用容器、即ち、充填された用土に栽培植物の苗を植え込むか又は播種した平らなコンテナを使用して照明下の元で育成するための、照明器具を備えたラックとして活用できる。
【符号の説明】
【００２６】
Ｃ    植物栽培用容器
１Ａ〜３Ｂ，１６    棚
４ａ，４ｂ    支柱
５    蛍光灯タイプの照明器具
５ａ    照明器具の本体
５ｄ    取付け座
５ｅ    取付けネジ
６    棒状中空枠材
６ｃ    開口部
７    支持枠材
８    断面コ形部
８ａ    外側板
８ｂ    内側板
８ｃ    支持用水平板部
８ｄ    垂直板部
８ｅ    上面板
９    切欠き凹部
９ａ    係合突起片
１０    開口
１１，１９    取付け板部
１２    係止孔
１３    開口
１５    ローラーレール
１５ａ    レール本体
１５ｂ    ローラー
１７    位置決め兼用支持部材
１８ａ，１８ｂ    ガイドバー
２０    支持用凹部
【図１】
2011101599.tif 000003
【図２】
2011101599.tif 000004
【図３】
2011101599.tif 000005
【図４】
2011101599.tif 000006
【図５】
2011101599.tif 000007
【図６】
2011101599.tif 000008
【図７】
2011101599.tif 000009
【図８】
2011101599.tif 000010
【図９】
2011101599.tif 000011
【図１０】
2011101599.tif 000012